(57)【要約】      （修正有）【課題】手提げ袋において、手提げ袋を使用しない場合に、手提げ袋を収納する収納具への出し入れに支障がなく、開口部が他の部材に引っかかって手提げ袋が破れてしまうおそれがない等、手を通すための開口部が邪魔になることがない手提げ袋を提供する。【解決手段】手提げ袋５は、外正面部１０と、外正面部１０の上辺から連設された内正面部２０と、外正面部１０の下辺から連設された前底面部３０と、外背面部６０と、外背面部６０の上辺から連設された内背面部７０と、外背面部６０の下辺から連設されるとともに、前底面部３０の外正面部１０側とは反対側の辺部から連設された後底面部８０とを有し、手提げ袋５の内側の左右両側には、縫製部９０等が設けられている。内正面部２０と内背面部７０には、手を挿入するための手挿入部２２、７２が設けられている。【選択図】図９
0003229904.tif 000002
【実用新案登録請求の範囲】
【請求項１】
手提げ袋であって、
外正面部（１０）と、外正面部の上辺から連設された内正面部（２０）と、外正面部の下辺から連設された前底面部（３０）と、外背面部（６０）と、外背面部の上辺から連設された内背面部（７０）と、外背面部の下辺から連設されるとともに、前底面部の外正面部側とは反対側の辺部から連設された後底面部（８０）とを有し、
外正面部と内正面部と前底面部と外背面部と内背面部と後底面部は、略方形状の１枚のシート状部材により形成され、
手提げ袋を扁平状に畳んだ状態では、内正面部が外正面部の内側に設けられ、内背面部が外背面部の内側に設けられるとともに、内正面部と内背面部が互いに対向して設けられ、さらに、前底面部が外正面部の内側に設けられ、後底面部が外背面部の内側に設けられるとともに、前底面部と後底面部が互いに対向して設けられ、
内正面部と、外正面部における内正面部に対向する領域である外正面部上側領域（１０−１）と、内背面部と、外背面部における内背面部に対向する領域である外背面部上側領域（６０−１）からなる上側領域においては、外正面部上側領域の左側面側の端部領域と内正面部の左側面側の端部領域と内背面部の左側面側の端部領域と外背面部上側領域の左側面側の端部領域からなる第１左端部領域が縫合されるとともに、外正面部上側領域の右側面側の端部領域と内正面部の右側面側の端部領域と内背面部の右側面側の端部領域と外背面部上側領域の右側面側の端部領域からなる第１右端部領域が縫合され、
前底面部と、外正面部における前底面部に対向する領域である外正面部下側領域（１０−２）と、後底面部と、外背面部における後底面部に対向する領域である外背面部下側領域（６０−２）からなる下側領域においては、外正面部下側領域の左側面側の端部領域と前底面部の左側面側の端部領域と後底面部の左側面側の端部領域と外背面部下側領域の左側面側の端部領域からなる第２左端部領域が縫合されるとともに、外正面部下側領域の右側面側の端部領域と前底面部の右側面側の端部領域と後底面部の右側面側の端部領域と外背面部下側領域の右側面側の端部領域からなる第２右端部領域が縫合され、
外正面部における外正面部上側領域と外正面部下側領域の間の領域である外正面部中央領域（１０−３）と、外背面部における外背面部上側領域と外背面部下側領域の間の領域である外背面部中央領域（６０−３）からなる中央領域においては、外正面部中央領域の左側面側の端部領域と外背面部中央領域の左側面側の端部領域からなる第３左端部領域が縫合され、外正面部中央領域の右側面側の端部領域と外背面部中央領域の右側面側の端部領域からなる第３右端部領域が縫合され、
縫合された第１左端部領域と、縫合された第２左端部領域と、縫合された第３左端部領域と、縫合された第１右端部領域と、縫合された第２右端部領域と、縫合された第３右端部領域は、手提げ袋の内側に設けられ、
内正面部には、手を挿入するための第１手挿入部（２２）が設けられ、内背面部には、手を挿入するための第２手挿入部（７２）が設けられていることを特徴とする手提げ袋。
【請求項２】
手提げ袋を扁平状に畳んだ状態において、内正面部の上下方向の長さ（Ｌ２０）と前底面部の上下方向の長さ（Ｌ３０）が外正面部の上下方向の長さ（Ｌ１０）よりも短く形成されるとともに、内背面部の上下方向の長さ（Ｌ７０）と後底面部の上下方向の長さ（Ｌ８０）が外背面部の上下方向の長さ（Ｌ６０）よりも短く形成され、手提げ袋を扁平状に畳んだ状態において、前底面部と後底面部が内正面部と内背面部よりも下側に設けられていることを特徴とする請求項１に記載の手提げ袋。
【請求項３】
帯状部材により形成され、長手方向の折れ線を介して折り返された一方の側である第１前側部（９２ａ）と他方の側である第１後側部（９２ｂ）とを有する左帯状部（９２）と、帯状部材により形成され、長手方向の折れ線を介して折り返された一方の側である第２前側部（１０２ａ）と他方の側である第２後側部（１０２ｂ）とを有する右帯状部（１０２）が設けられ、
左帯状部は、上側領域においては、第１前側部と第１後側部とで第１左端部領域を挟んだ状態で、左帯状部が第１左端部領域に縫着され、中央領域においては、第１前側部と第１後側部とで第３左端部領域を挟んだ状態で、左帯状部が第３左端部領域に縫着され、下側領域においては、第１前側部と第１後側部とで第２左端部領域を挟んだ状態で、左帯状部が第２左端部領域に縫着され、
右帯状部は、上側領域においては、第２前側部と第２後側部とで第１右端部領域を挟んだ状態で、右帯状部が第１右端部領域に縫着され、中央領域においては、第２前側部と第２後側部とで第３右端部領域を挟んだ状態で、右帯状部が第３右端部領域に縫着され、下側領域においては、第２前側部と第２後側部とで第２右端部領域を挟んだ状態で、右帯状部が第２右端部領域に縫着され、
左帯状部と右帯状部は、手提げ袋の内側に設けられていることを特徴とする請求項１又は２に記載の手提げ袋。
【請求項４】
第１手挿入部は、内正面部に形成された切込み又は開口部により形成され、第２手挿入部は、内背面部に形成された切込み又は開口部により形成されていることを特徴とする請求項１又は２又は３に記載の手提げ袋。
【請求項５】
手提げ袋であって、
外正面部（１０）と、外正面部の上辺から連設された内正面部（２０）と、外正面部の下辺から連設された前底面部（３０）と、外背面部（６０）と、外背面部の上辺から連設された内背面部（７０）と、外背面部の下辺から連設されるとともに、前底面部の外正面部側とは反対側の辺部から連設された後底面部（８０）とを有し、
外正面部と内正面部と前底面部と外背面部と内背面部と後底面部は、略方形状の１枚のシート状部材により形成され、
手提げ袋を扁平状に畳んだ状態では、内正面部が外正面部の内側に設けられ、内背面部が外背面部の内側に設けられるとともに、内正面部と内背面部が互いに対向して設けられ、さらに、前底面部が外正面部の内側に設けられ、後底面部が外背面部の内側に設けられるとともに、前底面部と後底面部が互いに対向して設けられ、
内正面部と、外正面部における内正面部に対向する領域である外正面部上側領域（１０−１）と、内背面部と、外背面部における内背面部に対向する領域である外背面部上側領域（６０−１）からなる上側領域においては、外正面部上側領域の左側面側の端部領域と内正面部の左側面側の端部領域と内背面部の左側面側の端部領域と外背面部上側領域の左側面側の端部領域からなる第１左端部領域が縫合されるとともに、外正面部上側領域の右側面側の端部領域と内正面部の右側面側の端部領域と内背面部の右側面側の端部領域と外背面部上側領域の右側面側の端部領域からなる第１右端部領域が縫合され、
前底面部と、外正面部における前底面部に対向する領域である外正面部下側領域（１０−２）と、後底面部と、外背面部における後底面部に対向する領域である外背面部下側領域（６０−２）からなる下側領域においては、外正面部下側領域の左側面側の端部領域と前底面部の左側面側の端部領域と後底面部の左側面側の端部領域と外背面部下側領域の左側面側の端部領域からなる第２左端部領域が縫合されるとともに、外正面部下側領域の右側面側の端部領域と前底面部の右側面側の端部領域と後底面部の右側面側の端部領域と外背面部下側領域の右側面側の端部領域からなる第２右端部領域が縫合され、
外正面部における外正面部上側領域と外正面部下側領域の間の領域である外正面部中央領域（１０−３）と、外背面部における外背面部上側領域と外背面部下側領域の間の領域である外背面部中央領域（６０−３）からなる中央領域においては、外正面部中央領域の左側面側の端部領域と外背面部中央領域の左側面側の端部領域からなる第３左端部領域が縫合され、外正面部中央領域の右側面側の端部領域と外背面部中央領域の右側面側の端部領域からなる第３右端部領域が縫合され、
縫合された第１左端部領域と、縫合された第２左端部領域と、縫合された第３左端部領域と、縫合された第１右端部領域と、縫合された第２右端部領域と、縫合された第３右端部領域は、手提げ袋の内側に設けられ、
内正面部には、手を挿入するための第１手挿入部で、切込み又は開口部により形成された第１手挿入部（２２）が設けられ、内背面部には、手を挿入するための第２手挿入部で、切込み又は開口部により形成された第２手挿入部（７２）が設けられ、
手提げ袋を扁平状に畳んだ状態において、内正面部の上下方向の長さ（Ｌ２０）と前底面部の上下方向の長さ（Ｌ３０）が外正面部の上下方向の長さ（Ｌ１０）よりも短く形成されるとともに、内背面部の上下方向の長さ（Ｌ７０）と後底面部の上下方向の長さ（Ｌ８０）が外背面部の上下方向の長さ（Ｌ６０）よりも短く形成され、手提げ袋を扁平状に畳んだ状態において、前底面部と後底面部が内正面部と内背面部よりも下側に設けられ、
帯状部材により形成され、長手方向の折れ線を介して折り返された一方の側である第１前側部（９２ａ）と他方の側である第１後側部（９２ｂ）とを有する左帯状部（９２）と、帯状部材により形成され、長手方向の折れ線を介して折り返された一方の側である第２前側部（１０２ａ）と他方の側である第２後側部（１０２ｂ）とを有する右帯状部（１０２）が設けられ、
左帯状部は、上側領域においては、第１前側部と第１後側部とで第１左端部領域を挟んだ状態で、左帯状部が第１左端部領域に縫着され、中央領域においては、第１前側部と第１後側部とで第３左端部領域を挟んだ状態で、左帯状部が第３左端部領域に縫着され、下側領域においては、第１前側部と第１後側部とで第２左端部領域を挟んだ状態で、左帯状部が第２左端部領域に縫着され、
右帯状部は、上側領域においては、第２前側部と第２後側部とで第１右端部領域を挟んだ状態で、右帯状部が第１右端部領域に縫着され、中央領域においては、第２前側部と第２後側部とで第３右端部領域を挟んだ状態で、右帯状部が第３右端部領域に縫着され、下側領域においては、第２前側部と第２後側部とで第２右端部領域を挟んだ状態で、右帯状部が第２右端部領域に縫着され、
左帯状部と右帯状部は、手提げ袋の内側に設けられていることを特徴とする手提げ袋。
【請求項６】
第１手挿入部の縁部に沿って帯状の補強部（２４）が周状に設けられ、第２手挿入部の縁部に沿って帯状の補強部（７４）が周状に設けられていることを特徴とする請求項４又は５に記載の手提げ袋。
【請求項７】
シート状部材が布材であることを特徴とする請求項１又は２又は３又は４又は５又は６に記載の手提げ袋。
【考案の詳細な説明】
【技術分野】
【０００１】
本考案は、手提げ袋に関するものであり、特に、布製の手提げ袋に関するものである。
【背景技術】
【０００２】
従来より、手提げ袋は、特許文献１の第３図に示すものが一般的に知られている。すなわち、特許文献１の第３図に示す手提げ袋は、図２３に示すように構成され、袋本体１の前胴部２と後胴部３の上部に、それぞれ手の先を通すための透窓４を設け、その上方に握り部を形成したものである。
【先行技術文献】
【特許文献】
【０００３】
【特許文献１】実開昭６２−９０５２３号公報
【考案の概要】
【考案が解決しようとする課題】
【０００４】
しかし、図２３に示す手提げ袋においては、手を通すための透窓が外側に露出して設けられているため、手提げ袋を使用しない場合には、透窓を構成する開口部が他の部材に引っかかってしまうおそれがある。つまり、透窓を構成する開口部が邪魔になってしまう。
【０００５】
特に、手提げ袋を折り畳んで、鞄等の収納具に収納したり、収納具から取り出す際に、透窓を構成する開口部が収納具における部材に引っかかって、収納具に対する出し入れに支障をきたすおそれがあり、また、透窓の位置から破れてしまうおそれがある。収納具における部材としては、収納具に設けられた金具が考えられ、例えば、収納具の開閉口に設けられた金具や、収納具の内部に設けられた金具等が考えられる。
【０００６】
なお、透窓が外側に露出しないように折り畳めば、折り畳んだ手提げ袋が金具等に引っかかることがないが、透窓が外側に露出しないように折り畳む必要があり、面倒である。
【０００７】
そこで、手提げ袋において、手提げ袋を使用しない場合に、手提げ袋を収納する収納具への出し入れに支障がなく、開口部が他の部材に引っかかって手提げ袋が破れてしまうおそれがない等、手を通すための開口部が邪魔になることがない手提げ袋を提供することを目的とする。
【課題を解決するための手段】
【０００８】
本考案は上記問題点を解決するために創作されたものであって、第１には、手提げ袋であって、外正面部（１０）と、外正面部の上辺から連設された内正面部（２０）と、外正面部の下辺から連設された前底面部（３０）と、外背面部（６０）と、外背面部の上辺から連設された内背面部（７０）と、外背面部の下辺から連設されるとともに、前底面部の外正面部側とは反対側の辺部から連設された後底面部（８０）とを有し、
外正面部と内正面部と前底面部と外背面部と内背面部と後底面部は、略方形状の１枚のシート状部材により形成され、
手提げ袋を扁平状に畳んだ状態では、内正面部が外正面部の内側に設けられ、内背面部が外背面部の内側に設けられるとともに、内正面部と内背面部が互いに対向して設けられ、さらに、前底面部が外正面部の内側に設けられ、後底面部が外背面部の内側に設けられるとともに、前底面部と後底面部が互いに対向して設けられ、
内正面部と、外正面部における内正面部に対向する領域である外正面部上側領域（１０−１）と、内背面部と、外背面部における内背面部に対向する領域である外背面部上側領域（６０−１）からなる上側領域においては、外正面部上側領域の左側面側の端部領域と内正面部の左側面側の端部領域と内背面部の左側面側の端部領域と外背面部上側領域の左側面側の端部領域からなる第１左端部領域が縫合されるとともに、外正面部上側領域の右側面側の端部領域と内正面部の右側面側の端部領域と内背面部の右側面側の端部領域と外背面部上側領域の右側面側の端部領域からなる第１右端部領域が縫合され、
前底面部と、外正面部における前底面部に対向する領域である外正面部下側領域（１０−２）と、後底面部と、外背面部における後底面部に対向する領域である外背面部下側領域（６０−２）からなる下側領域においては、外正面部下側領域の左側面側の端部領域と前底面部の左側面側の端部領域と後底面部の左側面側の端部領域と外背面部下側領域の左側面側の端部領域からなる第２左端部領域が縫合されるとともに、外正面部下側領域の右側面側の端部領域と前底面部の右側面側の端部領域と後底面部の右側面側の端部領域と外背面部下側領域の右側面側の端部領域からなる第２右端部領域が縫合され、
外正面部における外正面部上側領域と外正面部下側領域の間の領域である外正面部中央領域（１０−３）と、外背面部における外背面部上側領域と外背面部下側領域の間の領域である外背面部中央領域（６０−３）からなる中央領域においては、外正面部中央領域の左側面側の端部領域と外背面部中央領域の左側面側の端部領域からなる第３左端部領域が縫合され、外正面部中央領域の右側面側の端部領域と外背面部中央領域の右側面側の端部領域からなる第３右端部領域が縫合され、
縫合された第１左端部領域と、縫合された第２左端部領域と、縫合された第３左端部領域と、縫合された第１右端部領域と、縫合された第２右端部領域と、縫合された第３右端部領域は、手提げ袋の内側に設けられ、
内正面部には、手を挿入するための第１手挿入部（２２）が設けられ、内背面部には、手を挿入するための第２手挿入部（７２）が設けられていることを特徴とする。
【０００９】
第１の構成の手提げ袋によれば、第１手挿入部が設けられた内正面部と第２手挿入部が設けられた内背面部が外正面部及び外背面部の内側に設けられ、第１手挿入部及び第２手挿入部が外部に露出しないので、手提げ袋を使用しない場合に、手提げ袋を収納する収納具への出し入れに支障がなく、第１手挿入部や第２手挿入部が他の部材に引っかかって手提げ袋が破れてしまうおそれがない等、手を通すための第１手挿入部及び第２手挿入部が邪魔になることがない。
【００１０】
また、第２には、上記第１の構成において、手提げ袋を扁平状に畳んだ状態において、内正面部の上下方向の長さ（Ｌ２０）と前底面部の上下方向の長さ（Ｌ３０）が外正面部の上下方向の長さ（Ｌ１０）よりも短く形成されるとともに、内背面部の上下方向の長さ（Ｌ７０）と後底面部の上下方向の長さ（Ｌ８０）が外背面部の上下方向の長さ（Ｌ６０）よりも短く形成され、手提げ袋を扁平状に畳んだ状態において、前底面部と後底面部が内正面部と内背面部よりも下側に設けられていることを特徴とする。
【００１１】
よって、内正面部及び内背面部が前底面部及び後底面部と重なることがないので扁平状態の手提げ袋の厚みが厚くなることがなく、手提げ袋を折り畳んでコンパクトにするのが容易となる。
【００１２】
また、第３には、上記第１又は第２の構成において、帯状部材により形成され、長手方向の折れ線を介して折り返された一方の側である第１前側部（９２ａ）と他方の側である第１後側部（９２ｂ）とを有する左帯状部（９２）と、帯状部材により形成され、長手方向の折れ線を介して折り返された一方の側である第２前側部（１０２ａ）と他方の側である第２後側部（１０２ｂ）とを有する右帯状部（１０２）が設けられ、
左帯状部は、上側領域においては、第１前側部と第１後側部とで第１左端部領域を挟んだ状態で、左帯状部が第１左端部領域に縫着され、中央領域においては、第１前側部と第１後側部とで第３左端部領域を挟んだ状態で、左帯状部が第３左端部領域に縫着され、下側領域においては、第１前側部と第１後側部とで第２左端部領域を挟んだ状態で、左帯状部が第２左端部領域に縫着され、
右帯状部は、上側領域においては、第２前側部と第２後側部とで第１右端部領域を挟んだ状態で、右帯状部が第１右端部領域に縫着され、中央領域においては、第２前側部と第２後側部とで第３右端部領域を挟んだ状態で、右帯状部が第３右端部領域に縫着され、下側領域においては、第２前側部と第２後側部とで第２右端部領域を挟んだ状態で、右帯状部が第２右端部領域に縫着され、
左帯状部と右帯状部は、手提げ袋の内側に設けられていることを特徴とする。
【００１３】
よって、左帯状部と右帯状部が設けられていて、本体部の左右の端部領域を左帯状部と右帯状部で包んだ状態となるので、本体部の左右の端部が手提げ袋内に露出して邪魔になることがない。
【００１４】
また、第４には、上記第１から第３までのいずれかの構成において、第１手挿入部は、内正面部に形成された切込み又は開口部により形成され、第２手挿入部は、内背面部に形成された切込み又は開口部により形成されていることを特徴とする。
【００１５】
また、第５には、手提げ袋であって、外正面部（１０）と、外正面部の上辺から連設された内正面部（２０）と、外正面部の下辺から連設された前底面部（３０）と、外背面部（６０）と、外背面部の上辺から連設された内背面部（７０）と、外背面部の下辺から連設されるとともに、前底面部の外正面部側とは反対側の辺部から連設された後底面部（８０）とを有し、
外正面部と内正面部と前底面部と外背面部と内背面部と後底面部は、略方形状の１枚のシート状部材により形成され、
手提げ袋を扁平状に畳んだ状態では、内正面部が外正面部の内側に設けられ、内背面部が外背面部の内側に設けられるとともに、内正面部と内背面部が互いに対向して設けられ、さらに、前底面部が外正面部の内側に設けられ、後底面部が外背面部の内側に設けられるとともに、前底面部と後底面部が互いに対向して設けられ、
内正面部と、外正面部における内正面部に対向する領域である外正面部上側領域（１０−１）と、内背面部と、外背面部における内背面部に対向する領域である外背面部上側領域（６０−１）からなる上側領域においては、外正面部上側領域の左側面側の端部領域と内正面部の左側面側の端部領域と内背面部の左側面側の端部領域と外背面部上側領域の左側面側の端部領域からなる第１左端部領域が縫合されるとともに、外正面部上側領域の右側面側の端部領域と内正面部の右側面側の端部領域と内背面部の右側面側の端部領域と外背面部上側領域の右側面側の端部領域からなる第１右端部領域が縫合され、
前底面部と、外正面部における前底面部に対向する領域である外正面部下側領域（１０−２）と、後底面部と、外背面部における後底面部に対向する領域である外背面部下側領域（６０−２）からなる下側領域においては、外正面部下側領域の左側面側の端部領域と前底面部の左側面側の端部領域と後底面部の左側面側の端部領域と外背面部下側領域の左側面側の端部領域からなる第２左端部領域が縫合されるとともに、外正面部下側領域の右側面側の端部領域と前底面部の右側面側の端部領域と後底面部の右側面側の端部領域と外背面部下側領域の右側面側の端部領域からなる第２右端部領域が縫合され、
外正面部における外正面部上側領域と外正面部下側領域の間の領域である外正面部中央領域（１０−３）と、外背面部における外背面部上側領域と外背面部下側領域の間の領域である外背面部中央領域（６０−３）からなる中央領域においては、外正面部中央領域の左側面側の端部領域と外背面部中央領域の左側面側の端部領域からなる第３左端部領域が縫合され、外正面部中央領域の右側面側の端部領域と外背面部中央領域の右側面側の端部領域からなる第３右端部領域が縫合され、
縫合された第１左端部領域と、縫合された第２左端部領域と、縫合された第３左端部領域と、縫合された第１右端部領域と、縫合された第２右端部領域と、縫合された第３右端部領域は、手提げ袋の内側に設けられ、
内正面部には、手を挿入するための第１手挿入部で、切込み又は開口部により形成された第１手挿入部（２２）が設けられ、内背面部には、手を挿入するための第２手挿入部で、切込み又は開口部により形成された第２手挿入部（７２）が設けられ、
手提げ袋を扁平状に畳んだ状態において、内正面部の上下方向の長さ（Ｌ２０）と前底面部の上下方向の長さ（Ｌ３０）が外正面部の上下方向の長さ（Ｌ１０）よりも短く形成されるとともに、内背面部の上下方向の長さ（Ｌ７０）と後底面部の上下方向の長さ（Ｌ８０）が外背面部の上下方向の長さ（Ｌ６０）よりも短く形成され、手提げ袋を扁平状に畳んだ状態において、前底面部と後底面部が内正面部と内背面部よりも下側に設けられ、
帯状部材により形成され、長手方向の折れ線を介して折り返された一方の側である第１前側部（９２ａ）と他方の側である第１後側部（９２ｂ）とを有する左帯状部（９２）と、帯状部材により形成され、長手方向の折れ線を介して折り返された一方の側である第２前側部（１０２ａ）と他方の側である第２後側部（１０２ｂ）とを有する右帯状部（１０２）が設けられ、
左帯状部は、上側領域においては、第１前側部と第１後側部とで第１左端部領域を挟んだ状態で、左帯状部が第１左端部領域に縫着され、中央領域においては、第１前側部と第１後側部とで第３左端部領域を挟んだ状態で、左帯状部が第３左端部領域に縫着され、下側領域においては、第１前側部と第１後側部とで第２左端部領域を挟んだ状態で、左帯状部が第２左端部領域に縫着され、
右帯状部は、上側領域においては、第２前側部と第２後側部とで第１右端部領域を挟んだ状態で、右帯状部が第１右端部領域に縫着され、中央領域においては、第２前側部と第２後側部とで第３右端部領域を挟んだ状態で、右帯状部が第３右端部領域に縫着され、下側領域においては、第２前側部と第２後側部とで第２右端部領域を挟んだ状態で、右帯状部が第２右端部領域に縫着され、
左帯状部と右帯状部は、手提げ袋の内側に設けられていることを特徴とする。
【００１６】
第５の構成の手提げ袋によれば、第１手挿入部が設けられた内正面部と第２手挿入部が設けられた内背面部が外正面部及び外背面部の内側に設けられ、第１手挿入部及び第２手挿入部が外部に露出しないので、手提げ袋を使用しない場合に、手提げ袋を収納する収納具への出し入れに支障がなく、第１手挿入部や第２手挿入部が他の部材に引っかかって手提げ袋が破れてしまうおそれがない等、手を通すための第１手挿入部及び第２手挿入部が邪魔になることがない。
【００１７】
また、前底面部と後底面部が内正面部と内背面部よりも下側に設けられていて、内正面部及び内背面部が前底面部及び後底面部と重なることがないので扁平状態の手提げ袋の厚みが厚くなることがなく、手提げ袋を折り畳んでコンパクトにするのが容易となる。
【００１８】
また、左帯状部と右帯状部が設けられていて、本体部の左右の端部領域を左帯状部と右帯状部で包んだ状態となるので、本体部の左右の端部が手提げ袋内に露出して邪魔になることがない。
【００１９】
また、第６には、上記第４又は第５の構成において、第１手挿入部の縁部に沿って帯状の補強部（２４）が周状に設けられ、第２手挿入部の縁部に沿って帯状の補強部（７４）が周状に設けられていることを特徴とする。
【００２０】
よって、第１手挿入部と第２手挿入部に帯状の補強部が設けられているので、第１手挿入部と第２手挿入部が破損するのを防止することができる。
【００２１】
また、第７には、上記第１から第６までのいずれかの構成において、シート状部材が布材であることを特徴とする。
【考案の効果】
【００２２】
本考案に基づく手提げ袋によれば、第１手挿入部が設けられた内正面部と第２手挿入部が設けられた内背面部が外正面部及び外背面部の内側に設けられ、第１手挿入部及び第２手挿入部が外部に露出しないので、手提げ袋を使用しない場合に、手提げ袋を収納する収納具への出し入れに支障がなく、第１手挿入部や第２手挿入部が他の部材に引っかかって手提げ袋が破れてしまうおそれがない等、手を通すための第１手挿入部及び第２手挿入部が邪魔になることがない。
【図面の簡単な説明】
【００２３】
【図１】手提げ袋の正面図である。
【図２】手提げ袋の背面図である。
【図３】手提げ袋の平面図である。
【図４】手提げ袋の底面図である。
【図５】手提げ袋の右側面図である。
【図６】手提げ袋の左側面図である。
【図７】図３のＡ−Ａ断面図である。
【図８】図３のＢ−Ｂ断面図である。
【図９】図１のＣ−Ｃ断面図である。
【図１０】図１のＤ−Ｄ断面図である。
【図１１】図１のＥ−Ｅ断面図である。
【図１２】図１１の要部拡大図であり、（ａ）は左側面側の領域の要部拡大図であり、（ｂ）は右側面側の領域の要部拡大図である。
【図１３】手提げ袋を裏返した状態を示す正面図である。
【図１４】手提げ袋を裏返した状態を示す背面図である。
【図１５】図１３、図１４に示す状態から内背面部を裏返した状態を示す正面図である。
【図１６】図１３、図１４に示す状態から内背面部を裏返した状態を示す背面図である。
【図１７】手提げ袋の製造方法を示す説明図である。
【図１８】手提げ袋の製造方法を示す説明図である。
【図１９】手提げ袋の製造方法を示す説明図である。
【図２０】手提げ袋の製造方法を示す説明図である。
【図２１】手提げ袋の製造方法を示す説明図である。
【図２２】手提げ袋の使用状態を示す斜視図である。
【図２３】従来の手提げ袋を示す斜視図である。
【考案を実施するための形態】
【００２４】
本考案においては、手提げ袋において、手提げ袋を使用しない場合に、手提げ袋を収納する収納具への出し入れに支障がなく、開口部が他の部材に引っかかって手提げ袋が破れてしまうおそれがない等、手を通すための開口部が邪魔になることがない手提げ袋を提供するという目的を以下のようにして実現した。
【００２５】
本考案に基づく手提げ袋５は、手提げ袋であり、図１〜図１６に示されるように構成され、外正面部１０と、外正面部１０から連設された内正面部２０と、外正面部１０から連設された前底面部３０と、前底面部３０から連設された後底面部８０と、後底面部８０から連設された外背面部６０と、外背面部６０から連設された内背面部７０と、左側面側の縫製部９０と、右側面側の縫製部１００とを有していて、外正面部１０と内正面部２０と前底面部３０と後底面部８０と外背面部６０と内背面部７０は、略方形状の１枚のシート状部材、特に、柔軟性のあるシート状部材（具体的には、ポリエステル製の布材（つまり、ポリエステル生地）等の布材）により形成されている。つまり、手提げ袋５は、布製の手提げ袋である。手提げ袋５は、全体に略方形状の扁平状を呈している。また、外正面部１０と内正面部２０と前底面部３０と外背面部６０と内背面部７０と後底面部８０とで、本体部７が構成されている。なお、外正面部１０と内正面部２０と前底面部３０と後底面部８０と外背面部６０と内背面部７０を構成するシート状部材を布材以外のシート状部材（例えば、ビニルシート等の合成樹脂製シート材）により形成してもよい。
【００２６】
外正面部１０は、方形状（略方形状としてもよい）のシート状を呈し、手提げ袋５の正面側の外側の面を構成している。
【００２７】
内正面部２０は、外正面部１０の上辺から連設され、外正面部１０の上辺から折り返されて外正面部１０の内側に設けられている。内正面部２０は、方形状（略方形状としてもよい）のシート状を呈し、内正面部２０の上下方向及び左右方向の略中央には、横方向に略直線状の切込みが形成されて、手挿入部２２が設けられている。手挿入部２２の縁部（手挿入部２２に沿った縁部としてもよい）に沿って帯状補強部２４が周状に設けられ、これにより手挿入部２２に沿った縁部が補強されている。帯状補強部２４は、帯状の布材を二つ折りにして内正面部２０を挟んだ状態で縫着されている。帯状補強部２４が設けられているので、手挿入部２２が破損するのを防止することができる。
【００２８】
なお、内正面部２０の下端においては、内正面部２０を構成する布材の端部を折り返した状態で縫着することにより、内正面部２０の下端がほつれないようにしている。
【００２９】
前底面部３０は、外正面部１０の下辺から連設され、外正面部１０の下辺から折り返されて外正面部１０の内側に設けられている。前底面部３０は、方形状（略方形状としてもよい）のシート状を呈している。
【００３０】
なお、図９に示すように、手提げ袋５を扁平状に畳んだ状態において、内正面部２０の上下方向の長さＬ２０と、前底面部３０の上下方向の長さＬ３０は、外正面部１０の上下方向の長さＬ１０よりも短く形成され、内正面部２０の下端と前底面部３０の上端の間に間隔が設けられ、この間隔の上下方向の長さＬ１１は、長さＬ２０や長さＬ３０よりも長く形成されている。
【００３１】
なお、長さＬ１１は、長さＬ２０や長さＬ３０よりも短くてもよく、また、長さＬ１１が０となる構成も考えられる。
【００３２】
外背面部６０は、方形状（略方形状としてもよい）のシート状を呈し、手提げ袋５の背面側の外側の面を構成している。
【００３３】
内背面部７０は、外背面部６０の上辺から連設され、外背面部６０の上辺から折り返されて外背面部６０の内側に設けられている。内背面部７０は、方形状（略方形状としてもよい）のシート状を呈し、内背面部７０の上下方向及び左右方向の略中央には、横方向に略直線状の切込みが形成されて、手挿入部７２が設けられている。手挿入部７２の縁部（手挿入部７２に沿った縁部としてもよい）に沿って帯状補強部７４が周状に設けられ、これにより手挿入部７２に沿った縁部が補強されている。帯状補強部７４は、帯状の布材を二つ折りにして内背面部７０を挟んだ状態で縫着されている。帯状補強部７４が設けられているので、手挿入部７２が破損するのを防止することができる。
【００３４】
なお、内背面部７０の下端においては、内背面部７０を構成する布材の端部を折り返した状態で縫着することにより、内背面部７０の下端がほつれないようにしている。
【００３５】
また、内正面部２０と内背面部７０は、手提げ袋５の内側で互いに対向した状態となっている。
【００３６】
後底面部８０は、外背面部６０の下辺から連設され、外背面部６０の下辺から折り返されて外背面部６０の内側に設けられている。後底面部８０は、方形状（略方形状としてもよい）のシート状を呈している。
【００３７】
また、前底面部３０と後底面部８０は、手提げ袋５の内側で互いに対向した状態となっている。
【００３８】
なお、図９に示すように、手提げ袋５を扁平状に畳んだ状態において、内背面部７０の上下方向の長さＬ７０と、後底面部８０の上下方向の長さＬ８０は、外背面部６０の上下方向の長さＬ６０よりも短く形成され、内背面部７０の下端と後底面部８０の上端の間に間隔が設けられ、この間隔の上下方向の長さＬ６１は、長さＬ７０や長さＬ８０よりも長く形成され、長さＬ６１は、長さＬ１１と略同一となっている。
【００３９】
なお、長さＬ６１は、長さＬ７０や長さＬ８０よりも短くてもよく、また、長さＬ６１が０となる構成も考えられる。
【００４０】
また、長さＬ１０と長さＬ６０は、略同一に形成され、長さＬ２０と長さＬ７０は略同一に形成され、長さＬ３０と長さＬ８０は略同一に形成されている。
【００４１】
すなわち、手提げ袋５を扁平状に畳んだ状態において、前底面部３０と後底面部８０が内正面部２０と内背面部７０よりも下側に設けられた構成であればよい。これにより、内正面部２０及び内背面部７０が前底面部３０及び後底面部８０と重なることがないので扁平状態の手提げ袋の厚みが厚くなることがなく、図１〜図１１の状態の手提げ袋５を折り畳んでコンパクトにするのが容易となる。
【００４２】
また、縫製部９０は、手提げ袋５の内側における左側面側に設けられ、本体部７の左側面側の端部領域を挟んだ状態で設けられている帯状部（左帯状部）９２と、本体部７の左側面側の端部領域と帯状部９２とを縫着する縫製糸Ｋ９０とを有している。
【００４３】
つまり、手提げ袋５の上側領域（内正面部２０と内背面部７０が設けられた領域）においては、外背面部６０と外正面部１０と内正面部２０と内背面部７０を重ねた状態で、外背面部６０と外正面部１０と内正面部２０と内背面部７０における各左側面側の端部領域（第１左端部領域）と帯状部９２が縫合され（図１２（ａ）参照）、手提げ袋５の中央領域（上下方向における中央領域）（上側領域と下側領域の間の領域）においては、外背面部６０と外正面部１０における各左側面側の端部領域（第３左端部領域）と帯状部９２が縫合され、手提げ袋５の下側領域（前底面部３０と後底面部８０が設けられた領域）においては、外背面部６０と外正面部１０と前底面部３０と後底面部８０を重ねた状態で、外背面部６０と外正面部１０と前底面部３０と後底面部８０における各左側面側の端部領域（第２左端部領域）と帯状部９２が縫合されている。
【００４４】
なお、帯状部９２は、折れ線を介して前側部９２ａと後側部９２ｂとを有し、前側部９２ａと後側部９２ｂとを長手方向の折れ線に沿って互いに折り返した状態として、本体部７を挟んだ状態となっている。すなわち、帯状部９２は、第１左端部領域と第２左端部領域と第３左端部領域に縫着されている。帯状部９２を縫着する際には、前側部９２ａの長手辺に沿った端部（後側部９２ｂとは反対側の端部）を内側に折り返すとともに、後側部９２ｂの長手辺に沿った端部（前側部９２ａとは反対側の端部）を内側に折り返した状態で、縫着するのが好ましい。
【００４５】
なお、該上側領域は、具体的には、手提げ袋５を扁平状に畳んだ状態において、内正面部２０と、外正面部１０における内正面部２０に対向する領域である外正面部上側領域１０−１と、内背面部７０と、外背面部６０における内背面部７０に対向する領域である外背面部上側領域６０−１から構成される。つまり、外正面部上側領域１０−１は、扁平状に折り畳んだ状態で、内正面部２０と重なる領域であり、手提げ袋５を正面側から透視した場合に、内正面部２０と重なる領域である。また、外背面部上側領域６０−１は、扁平状に折り畳んだ状態で、内背面部７０と重なる領域であり、手提げ袋５を背面側から透視した場合に、内背面部７０と重なる領域である。
【００４６】
また、該下側領域は、具体的には、手提げ袋５を扁平状に畳んだ状態において、前底面部３０と、外正面部１０における前底面部３０に対向する領域である外正面部下側領域１０−２と、後底面部８０と、外背面部６０における後底面部８０に対向する領域である外背面部下側領域６０−２から構成される。つまり、外正面部下側領域１０−２は、扁平状に折り畳んだ状態で、前底面部３０と重なる領域であり、手提げ袋５を正面側から透視した場合に、前底面部３０と重なる領域である。また、外背面部下側領域６０−２は、扁平状に折り畳んだ状態で、後底面部８０と重なる領域であり、手提げ袋５を背面側から透視した場合に、後底面部８０と重なる領域である。
【００４７】
また、該中央領域は、具体的には、手提げ袋５を扁平状に畳んだ状態において、外正面部１０における外正面部上側領域１０−１と外正面部下側領域１０−２の間の領域である外正面部中央領域１０−３と、外背面部６０における外背面部上側領域６０−１と外背面部下側領域６０−２の間の領域である外背面部中央領域６０−３から構成される。
【００４８】
これにより、本体部７の左側面側の端部領域と帯状部９２と縫製糸Ｋ９０とで、縫製部ユニット９５が形成され、縫製部ユニット９５は、手提げ袋５の上側領域に設けられた上側縫製部ユニット９５−１と、手提げ袋５の中央領域に設けられた中央縫製部ユニット９５−２と、手提げ袋５の下側領域に設けられた下側縫製部ユニット９５−３とを有し、上側縫製部ユニット９５−１は、外背面部６０と外正面部１０と内正面部２０と内背面部７０における各左側面側の端部領域（つまり、第１左端部領域）と帯状部９２と縫製糸Ｋ９０とで構成され、中央縫製部ユニット９５−２は、外背面部６０と外正面部１０における各左側面側の端部領域（つまり、第３左端部領域）と帯状部９２と縫製糸Ｋ９０とで構成され、下側縫製部ユニット９５−３は、外背面部６０と外正面部１０と前底面部３０と後底面部８０における各左側面側の端部領域（つまり、第２左端部領域）と帯状部９２と縫製糸Ｋ９０とで構成されている。
【００４９】
また、縫製部１００は、手提げ袋５の内側における右側面側に設けられ、本体部７の左側面側の端部領域を挟んだ状態で設けられている帯状部（右帯状部）１０２と、本体部７の右側面側の端部領域と帯状部１０２とを縫着する縫製糸Ｋ１００とを有している。
【００５０】
つまり、手提げ袋５の上側領域においては、外背面部６０と外正面部１０と内正面部２０と内背面部７０を重ねた状態で、外背面部６０と外正面部１０と内正面部２０と内背面部７０における各右側面側の端部領域（第１右端部領域）と帯状部１０２が縫合され（図１２（ｂ）参照）、手提げ袋５の中央領域（上下方向における中央領域）においては、外背面部６０と外正面部１０における各右側面側の端部領域（第３右端部領域）と帯状部１０２が縫合され、手提げ袋５の下側領域においては、外背面部６０と外正面部１０と前底面部３０と後底面部８０を重ねた状態で、外背面部６０と外正面部１０と前底面部３０と後底面部８０における各右側面側の端部領域（第２右端部領域）と帯状部１０２が縫合されている。
【００５１】
なお、帯状部１０２は、折れ線を介して前側部１０２ａと後側部１０２ｂとを有し、前側部１０２ａと後側部１０２ｂとを長手方向の折れ線に沿って互いに折り返した状態として、本体部７を挟んだ状態となっている。すなわち、帯状部１０２は、第１右端部領域と第２右端部領域と第３右端部領域に縫着されている。帯状部１０２を縫着する際には、前側部１０２ａの長手辺に沿った端部（後側部１０２ｂとは反対側の端部）を内側に折り返すとともに、後側部１０２ｂの長手辺に沿った端部（前側部１０２ａとは反対側の端部）を内側に折り返した状態で、縫着するのが好ましい。
【００５２】
これにより、本体部７の右側面側の端部領域と帯状部１０２と縫製糸Ｋ１００とで、縫製部ユニット１０５が形成され、縫製部ユニット１０５は、手提げ袋５の上側領域に設けられた上側縫製部ユニット１０５−１と、手提げ袋５の中央領域に設けられた中央縫製部ユニット１０５−２と、手提げ袋５の下側領域に設けられた下側縫製部ユニット１０５−３とを有し、上側縫製部ユニット１０５−１は、外背面部６０と外正面部１０と内正面部２０と内背面部７０における各右側面側の端部領域（つまり第１右端部領域）と帯状部１０２と縫製糸Ｋ１００とで構成され、中央縫製部ユニット１０５−２は、外背面部６０と外正面部１０における各右側面側の端部領域（第３右端部領域）と帯状部１０２と縫製糸Ｋ１００とで構成され、下側縫製部ユニット１０５−３は、外背面部６０と外正面部１０と前底面部３０と後底面部８０における各右側面側の端部領域（つまり、第２右端部領域）と帯状部１０２と縫製糸Ｋ１００とで構成されている。
【００５３】
上記のように、帯状部９２、１０２が設けられていて、本体部７の左右の端部領域を帯状部９２、１０２で包んだ状態となるので、本体部７の左右の端部が手提げ袋５内に露出して邪魔になることがない。
【００５４】
また、上記のように、手提げ袋５を扁平状に畳んだ状態では、手挿入部２２が設けられた内正面部２０と手挿入部７２が設けられた内背面部７０が外正面部１０及び外背面部６０の内側に設けられ、手挿入部２２、７２が外部に露出しないようになっている。また、手提げ袋５を扁平状に畳んだ状態では、前底面部３０と後底面部８０は外正面部１０及び外背面部６０の内側に設けられ、外部に露出しないようになっている。
【００５５】
なお、図１〜図１１の状態から、手提げ袋５を裏返すと、図１３、図１４に示す状態となり、内正面部２０が外正面部１０の外側となり（図１３）、内背面部７０が外背面部６０の外側となり（図１４）、前底面部３０と後底面部８０が外正面部１０の外側に位置する（図１３）。なお、図１３、図１４の状態では、縫製部９０、１００は捻れた状態となっている。
【００５６】
さらに、図１３、図１４に示す状態から、内背面部７０を裏返して、内背面部７０を内正面部２０に重ねることにより、図１５、図１６に示す状態となり、縫製部９０、１００の捻れが解消される。
【００５７】
上記構成の手提げ袋５の製造方法について説明する。図１７に示すような略方形状のシート状の本体部７（シート状部材）を用意する。図１７に示す本体部７は、縦長の方形状を呈し、長手方向の両側の端部に沿った辺部（図１７における上側の辺部と下側の辺部）は、折り返した状態で縫着されており、また、長手方向の一方の端部側の領域（内正面部２０となる領域）には、手挿入部２２及び帯状補強部２４が設けられ、長手方向の他方の端部側の領域（内背面部７０とある領域）には、手挿入部７２及び帯状補強部７４が設けられている。
【００５８】
次に、本体部７を長手方向の中心位置で折り返して二つ折りの状態とし、本体部７の長手方向の両側の端部に沿った辺部を重ねた状態にする（図１８参照）。これにより、内正面部２０の領域と内背面部７０の領域が重なった状態となり、前底面部３０の領域と後底面部８０の領域が重なった状態となる。
【００５９】
次に、内正面部２０の領域と内背面部７０の領域を重ねた状態で折り返すとともに、内正面部２０の領域及び内背面部７０の領域とは反対側の端部領域（前底面部３０となる領域と後底面部８０となる領域）を折り返し（内正面部２０の領域と内背面部７０の領域を折り返した側と同じ側に折り返す）、それぞれ折り返した領域について、左側面側の辺部と右側面側の辺部に沿って縫合する（図１９参照）。
【００６０】
つまり、上側領域（内正面部２０と内背面部７０が設けられた領域）の左右両側の端部領域と、下側領域（前底面部３０と後底面部８０が設けられた領域）の左右両側の端部領域に沿って縫合する。
【００６１】
具体的には、外背面部６０の左側面側の端部領域６０ａと、外正面部１０の左側面側の端部領域１０ａと、内正面部２０の左側面側の端部領域２０ａと、内背面部７０の左側面側の端部領域７０ａを縫製糸Ｋ１０１により縫合し、外背面部６０の右側面側の端部領域６０ｂと、外正面部１０の右側面側の端部領域１０ｂと、内正面部２０の右側面側の端部領域２０ｂと、内背面部７０の右側面側の端部領域７０ｂを縫製糸Ｋ９１により縫合し、外背面部６０の左側面側の端部領域６０ａと、外正面部１０の左側面側の端部領域１０ａと、前底面部３０の左側面側の端部領域３０ａと、後底面部８０の左側面側の端部領域８０ａを縫製糸Ｋ１０２により縫合し、外背面部６０の右側面側の端部領域６０ｂと、外正面部１０の右側面側の端部領域１０ｂと、前底面部３０の右側面側の端部領域３０ｂと、後底面部８０の右側面側の端部領域８０ｂを縫製糸Ｋ９２により縫合する。
【００６２】
その後、上記のように、縫合された本体部７の左側面側の辺部を帯状部１０２の前側部１０２ａと後側部１０２ｂで挟んだ状態で、帯状部１０２を縫製糸Ｋ１００により該左側面側の辺部に沿って縫着するともに、縫合された本体部７の右側面側の辺部を帯状部９２の前側部９２ａと後側部９２ｂで挟んだ状態で、帯状部９２を縫製糸Ｋ９０により該右側面側の辺部に沿って縫着する（図２０、図２１参照）。
【００６３】
以上のようにして、図２１に示す状態の手提げ袋５が形成されるので（図２１に示す手提げ袋５は、図１５、図１６に示す手提げ袋５と同じ構成である）、図２１に示す状態から内背面部７０と内正面部２０を裏返して、図１３、図１４に示す状態とし、さらに、図１３、図１４に示す手提げ袋５を裏返す（つまり、外正面部１０と外背面部６０を裏返す）ことにより、図１〜図１１に示す手提げ袋５が形成される。
【００６４】
上記構成の手提げ袋５の使用方法について説明する。手提げ袋５に被収納物を収納する場合には、手挿入部２２、７２を上方に引っ張ることにより、内正面部２０と内背面部７０を上方に引き出し、内正面部２０と内背面部７０間の間隔を広げた状態で、外正面部１０と外背面部６０間の空間に被収納物を収納する。前底面部３０と後底面部８０は、マチを構成し、被収納物を収納した場合には、前底面部３０と後底面部８０からなる領域が展開した状態となるので、展開した前底面部３０及び後底面部８０と外正面部１０と外背面部６０により大きな収納空間を得ることができる。
【００６５】
被収納物を収納した状態で持ち運ぶには、手挿入部２２、７２に手を挿入して内正面部２０と内背面部７０をつかんで、図２２に示すようにぶら下げた状態とする。つまり、内正面部２０の少なくとも一部の領域が外正面部１０の上端よりも上方に突出した状態となり、内背面部７０の少なくとも一部の領域が外背面部６０の上端よりも上方に突出した状態となる。
【００６６】
手提げ袋５を使用しない場合には、図１〜図１１に示すように、内正面部２０と内背面部７０を外正面部１０及び外背面部６０の内側で互いに対向するように配置するとともに、前底面部３０と後底面部８０を外正面部１０及び外背面部６０の内側で互いに対向するように配置することにより、全体に略方形状の扁平な状態とし、さらに、鞄等の収納具に収納しておく場合には、略方形状の扁平な状態の手提げ袋５を折り畳んだ状態として、コンパクトな状態とすることができる。なお、コンパクトな状態にするには、複数回折り畳むことが好ましい。
【００６７】
手提げ袋５を扁平状に畳んだ状態（図１〜図１１に示す状態）では、手挿入部２２が設けられた内正面部２０と手挿入部７２が設けられた内背面部７０が外正面部１０及び外背面部６０の内側に設けられ、手挿入部２２、７２が外部に露出しないので、手提げ袋５を使用しない場合に、手提げ袋５を収納する収納具への出し入れに支障がなく、手挿入部２２、７２が他の部材に引っかかって手提げ袋５が破れてしまうおそれがない等、手を通すための手挿入部２２、７２が邪魔になることがない。
【００６８】
また、手提げ袋５を扁平状に畳んだ状態（図１〜図１１に示す状態）では、手挿入部２２、７２が外部に露出しないので、すっきりしたデザインの手提げ袋を得ることができる。
【００６９】
なお、上記の説明においては、手挿入部２２、７２は切込みにより形成されているとしたが、開口部（横長の開口部）により形成してもよい。つまり、開口部により構成された手挿入部２２、７２は、上下方向に長さを有する構成となる。
【符号の説明】
【００７０】
５  手提げ袋
７  本体部
１０  外正面部
１０ａ、１０ｂ  端部領域
２０  内正面部
２０ａ、２０ｂ  端部領域
２２  手挿入部
２４  帯状補強部
３０  前底面部
３０ａ、３０ｂ  端部領域
６０  外背面部
６０ａ、６０ｂ  端部領域
７０  内背面部
７０ａ、７０ｂ  端部領域
７２  手挿入部
７４  帯状補強部
８０  後底面部
８０ａ、８０ｂ  端部領域
９０、１００  縫製部
９２  帯状部
９２ａ  前側部
９２ｂ  後側部
９５  縫製部ユニット
９５−１  上側縫製部ユニット
９５−２  中央縫製部ユニット
９５−３  下側縫製部ユニット
１０２  帯状部
１０２ａ  前側部
１０２ｂ  後側部
１０５  縫製部ユニット
１０５−１  上側縫製部ユニット
１０５−２  中央縫製部ユニット
１０５−３  下側縫製部ユニット
Ｋ９０、Ｋ９１、Ｋ９２、Ｋ１００、Ｋ１０１、Ｋ１０２  縫製糸
【図１】
0003229904.tif 000003
【図２】
0003229904.tif 000004
【図３】
0003229904.tif 000005
【図４】
0003229904.tif 000006
【図５】
0003229904.tif 000007
【図６】
0003229904.tif 000008
【図７】
0003229904.tif 000009
【図８】
0003229904.tif 000010
【図９】
0003229904.tif 000011
【図１０】
0003229904.tif 000012
【図１１】
0003229904.tif 000013
【図１２】
0003229904.tif 000014
【図１３】
0003229904.tif 000015
【図１４】
0003229904.tif 000016
【図１５】
0003229904.tif 000017
【図１６】
0003229904.tif 000018
【図１７】
0003229904.tif 000019
【図１８】
0003229904.tif 000020
【図１９】
0003229904.tif 000021
【図２０】
0003229904.tif 000022
【図２１】
0003229904.tif 000023
【図２２】
0003229904.tif 000024
【図２３】
0003229904.tif 000025